(57)【特許請求の範囲】
【請求項１】
本体部の中央に設け薬剤を挿入可能とする中央凹部と、該中央凹部を取り囲むように配置した複数の流入孔部と、該流入孔部間に設け前記中央凹部と連結する複数の橋絡部とを備えた排水口用ぬめり取り器であって、
前記橋絡部の直下に、前記中央凹部の底側面から水平方向に放射状に突出し、樋状の先細の直線形状をした溶液排水路を設け、
排水口に設置した状態で、中心から前記溶液排水路の先端までの長さは、中心から排水口内の側面までの長さよりも短く、
前記薬剤が溶解した溶解液が、前記溶液排水路の前記樋状の先細の先端から放出されることを特徴とする排水口用ぬめり取り器。」
【請求項２】
前記中央凹部には、上下方向に開閉可能な開閉蓋を軸部を介して軸止し、前記開閉蓋の閉止によって、前記薬剤を前記中央凹部内に固定することを特徴とする請求項１に記載の排水口用ぬめり取り器。
【請求項３】
前記流入孔部内には、中心方向に向うにつれ緩やかに下方に湾曲した凹状壁から成る排水案内部を設けたことを特徴とする請求項１又は２に記載の排水口用ぬめり取り器。
【請求項４】
前記橋絡部は前記中央凹部に向うにつれて緩やかに下方に傾斜していることを特徴とする請求項１〜３の何れか１項に記載の排水口用ぬめり取り器。
【発明の詳細な説明】
【技術分野】
【０００１】
本発明は、微生物、雑菌等の増殖によりぬめりや悪臭が発生する例えば台所流し台の排水口等に設置し、ぬめりの発生を除去、防止する排水口用ぬめり取り器に関するものである。
【背景技術】
【０００２】
特許文献１には、流し台の排水口に設置し、ぬめり取り用薬剤を収納したぬめり取り容器を、蓋中央に配置した流し台排水口用蓋が開示されている。この排水口用蓋を設けた台所の流し台で食器、食材等を水洗いすると排水は蓋上面に設けた孔部に流下し、流下した排水は孔部の下方の排水案内部により蓋中央のぬめり取り容器に勢い良く放出される。
【０００３】
放出した排水はぬめり取り容器内の薬剤を溶解し、薬剤を混入した溶解液は排水口内に流下する。薬剤は微生物発育抑制物質を含むので、排水口内の粘り物質のぬめりや悪臭の発生を除去・防止することができる。
【０００４】
特許文献２には、内部に短円柱状の薬剤を設け、取り替え可能とした容器を排水口中央に配置する洗浄剤入り洗浄具が開示されている。特許文献１の流し台排水口用蓋と同様に、食器、食材等を水洗いした排水によって、容器内の薬剤を溶解して排水に混入する。そして、薬剤を混入した溶解液によって排水口内の粘り物質のぬめりや悪臭の発生を除去・防止する。
【先行技術文献】
【特許文献】
【０００５】
【特許文献１】意匠第１３６６６３１号公報
【特許文献２】特開２００２−２６６４０２号公報
【発明の概要】
【発明が解決しようとする課題】
【０００６】
しかし、特許文献１、２のぬめり取り器では、排水によって薬剤を溶解した溶解液は薬剤直下である排水口中央に集中して流下してしまい、排水口の側面に十分に溶解液を付着させることができないという問題がある。このため、排水口の側面に付着したぬめり等を十分に除去・防止することができない。
【０００７】
また、特許文献１のぬめり取り器では、排水量が多い場合にはぬめり取り容器内に必要以上に排水が流れ込み、薬剤が早期に溶解してしまうという問題がある。
【０００８】
特許文献２のぬめり取り器では、薬剤を交換する際には、容器のフック部を把手等の開口部位から取り外さなければならず手間を要する。また、交換に際して、薬剤を間違って排水孔の底部に落下させてしまうという問題もある。
【０００９】
本発明の目的は、上述の課題を解消し、適量の薬剤の溶解液を排水口の側面に付着させることを可能にした排水口用ぬめり取り器を提供することにある。
【課題を解決するための手段】
【００１０】
上記目的を達成するための本発明に係る排水口用ぬめり取り器は、本体部の中央に設け薬剤を挿入可能とする中央凹部と、該中央凹部を取り囲むように配置した複数の流入孔部と、該流入孔部間に設け前記中央凹部と連結する複数の橋絡部とを備えた排水口用ぬめり取り器であって、前記橋絡部の直下に、前記中央凹部の底側面から水平方向に放射状に突出し、樋状の先細の直線形状をした溶液排水路を設け、排水口に設置した状態で、中心から前記溶液排水路の先端までの長さは、中心から排水口内の側面までの長さよりも短く、前記薬剤が溶解した溶解液が、前記溶液排水路の前記樋状の先細の先端から放出されることを特徴とする。
【発明の効果】
【００１１】
本発明に係る排水口用ぬめり取り器によれば、本体部の底部に排水口の側面に薬剤を溶解した溶解液を放出する溶液排水路を設けることで、溶解液を排水口の側面に十分に付着させることができる。また、薬剤に到達する排水の量を略一定とし、薬剤が溶解する量が大きく変化することはなく、薬剤は使用可能期間においてほぼ平均的に溶解する。
【図面の簡単な説明】
【００１２】
【図１】実施例のぬめり取り器の分解斜視図である。
【図２】本体部の前方側一部を切欠した状態のぬめり取り器の斜視図である。
【図３】裏側から見たぬめり取り器の斜視図である。
【図４】カートリッジ体を固定した状態のぬめり取り器の斜視図である。
【図５】排水口にぬめり取り器を装着し排水の流れ状態の断面図である。
【発明を実施するための形態】
【００１３】
本発明を図示の実施例に基づいて詳細に説明する。
図１は実施例の排水口用ぬめり取り器の分解斜視図、図２はカートリッジ体をセットした本体部の前方側の一部を切欠した状態の斜視図、図３は裏側から見たぬめり取り器の斜視図である。
【００１４】
このぬめり取り器は、円盤状の本体部１０と、この本体部１０の頂面１１に中央凹部１２を設けている。中央凹部１２内には、円柱状の薬剤Ｐを入れた短円筒状のカートリッジ体２０が挿入されている。本体部１０及びカートリッジ体２０は合成樹脂により形成されており、本体部１０は不透明体であることが好ましい。
【００１５】
カートリッジ体２０は有色不透明なものを用いるが、内部の薬剤Ｐが見えるように透明状又は有色透明状を用いるようにしてもよい。また、カートリッジ体２０を有色とした場合には薬剤Ｐと区別できるように、カートリッジ体２０の色は薬剤Ｐと異なる色を用いるようにしてもよい。
【００１６】
本体部１０の外径は１４ｃｍ程度、カートリッジ体２０の外径は４ｃｍ程度である。なお、本体部１０の大きさは、排水口の大きさに応じて適宜のサイズのものを用意すればよい。
【００１７】
本体部１０の頂面１１には、中央に円形の中央凹部１２と、この中央凹部１２の周囲に設けた複数の扇形状の流入孔部１３と、これらの流入孔部１３間であって、中央凹部１２に向うにつれ緩やかに下方に傾斜する橋絡部１４とが設けられている。なお、本実施例では、３個ずつの流入孔部１３及び橋絡部１４が互いに等角度になるように配置されているが、２個又は４個ずつ以上の流入孔部１３及び橋絡部１４を配置しても支障はない。
【００１８】
流入孔部１３の下方には、中心方向に向うにつれ緩やかに下方に湾曲した凹状壁部から成る排水案内部１５が設けられており、この排水案内部１５は流入孔部１３からの排水を排水口の中央側に導くようにされている。また、排水案内部１５は排水口の内部を上方から直接見えないようにする目隠し的な役割を果たすと共に、排水口から上ってくる臭気を流入孔部１３から上昇し難くする効果も有している。
【００１９】
頂面１１の中央の中央凹部１２には、円環状の開閉蓋１６が水平軸を有する軸部１７を介して上下方向に開閉可能とされている。橋絡部１４の下方で中央凹部１２の底側面には、複数個の排水孔部１８が設けられている。また、中央凹部１２の底側面から、樋状の先細の溶液排水路１９が放射状に配置されて外方に向けて水平方向に突出されている。
【００２０】
溶液排水路１９は橋絡部１４の下方に配置されており、本実施例においては３個の溶液排水路１９が等角度で配置されている。なお、溶液排水路１９は実施例の樋状以外に、筒状或いは適宜の形状を採用することができる。
【００２１】
カートリッジ体２０は水平方向に上下に分割可能な中空形状とされ、上面、側面には複数の孔部２１が設けられていて、排水が出入りできるようにされている。
【００２２】
カートリッジ体２０には、上下に分割できるロック部２２と、このロック部２２の反対側にヒンジ部２３とが設けられている。ロック部２２、ヒンジ部２３によりカートリッジ体２０を開口した後に、直径４ｃｍ程度の短円柱状であって、１〜２ヵ月の標準的な排水量の使用で溶解し切る程度の量の固形の薬剤Ｐを、カートリッジ体２０内に収納する。
【００２３】
この薬剤Ｐは微生物、雑菌等の発育を抑制するためのトリクロロイソシアヌル酸等を主成分とし、トリクロロイソシアヌル酸を主成分とするもの以外にも、各種公知の殺菌剤、抗菌剤が使用可能である。一般的な防黴剤又は抗細菌剤として知られている化合物や、抗菌作用を有する天然精油類等であれば使用することができ、更に薬剤Ｐの薬剤の成分に殺菌作用を有する成分を含有するようにしてもよい。
【００２４】
本実施例では、カートリッジ体２０は利用者が薬剤Ｐを補充できるように、上下分割方式のものを説明したが、利用者が薬剤Ｐを交換することができないように上下部を圧着固定したものであってもよい。圧着固定したカートリッジ体２０の場合は、利用者は薬剤Ｐを使い切る毎に、新しいカートリッジ体２０と使い終わったカートリッジ体２０とを交換することになる。
【００２５】
また、カートリッジ体２０は、直接指で薬剤Ｐを触れることなく、本体部１０に薬剤Ｐを配置できるようにするためのものであるが、手袋等をして直接指で薬剤Ｐに触れないようにするのであれば、薬剤Ｐをカートリッジ体２０を使うことなく、直接に中央凹部１２内に挿入してもよい。この場合は、流入する排水を抑制するために、カートリッジ体２０の孔部２１に相当するものとして、円環状の開閉蓋１６にスリット孔を全面に設けた板部を取り付けることが好適である。
【００２６】
排水口用ぬめり取り器の使用方法は、図１に示すように開閉蓋１６を開いた状態で、カートリッジ体２０を中央凹部１２内に嵌まるように装着した後に、図４に示すように開閉蓋１６を閉じて本体部１０に固定する。その後に、排水口の上縁に本体部１０を載置する。
【００２７】
カートリッジ体２０内の薬剤Ｐは、通常の使用では１〜２ヵ月程度で溶解し切るので、カートリッジ体２０内が空になったことを目視して、開閉蓋１６を開いてカートリッジ体２０内を取り出す。そして、新しい薬剤Ｐをカートリッジ体２０内に収納し、再度カートリッジ体２０を中央凹部１２内に嵌まるように挿入し、開閉蓋１６を閉止して本体部１０に固定する。
【００２８】
図５は排水口にぬめり取り器を設置した状態の断面図であり、排水Ｗが流れ込んで落下してゆく状態を示している。食材、食器等を洗うことで排水Ｗが発生し、殆どの排水Ｗは左側の太い矢印に示すように流入孔部１３に流れ込み、排水案内部１５に案内されて排水口内に流れ落ちる。
【００２９】
一部の排水Ｗが、左側の細い流量の矢印に示すように、頂面１１の橋絡部１４上を伝わって中央凹部１２に到達する。中央凹部１２に達する水量は、全体の排水量に比例して増加するが、大量の排水Ｗが本体部１０に流れ込んだとしても、殆どの排水Ｗは周囲の流入孔部１３に流れ落ちてしまう。そのため、中央凹部１２まで到達する排水量が極端に増えることはなく、或る一定の範囲の量の排水Ｗのみが中央凹部１２に到達することになる。
【００３０】
中央凹部１２に到達した排水Ｗは、カートリッジ体２０の孔部２１に流れ込んで薬剤Ｐを溶解し、薬剤Ｐが溶解した溶解液Ｐｗは排水孔部１８と溶液排水路１９から流れ出す。
【００３１】
流入孔部１３と排水孔部１８とは円周方向にずれて配置されているため、流入孔部１３内の排水案内部１５から落下する排水Ｗが排水孔部１８内に流れこむことはない。また、各溶液排水路１９の上方には、橋絡部１４が存在しており、溶液排水路１９に上方から排水Ｗが落下してくることもない。
【００３２】
排水孔部１８は溶液排水路１９から放出する溶解液Ｐｗの放出量調整用のものであり、排水孔部１８の孔径は小さいため、排水孔部１８から流出する溶解液は、溶液排水路１９から放出する溶解液Ｐｗに比べて少ない。従って、溶解液Ｐｗの殆どは、勢い良く溶液排水路１９から流出され、排水口の側面Ｋに衝突し、側面Ｋが拡開され図５に示すように流れ落ちる。側面Ｋに付着した溶解液Ｐｗによって、側面Ｋのぬめり、つまり微生物、雑菌等の発育が抑制される。
【００３３】
溶解液Ｐｗ以外の排水Ｗは、排水案内部１５によって排水口の中央に集められて落下するため、側面Ｋに到達することがない。そのため、側面Ｋに付着した溶解液Ｐｗが他の排水Ｗによって、洗い落とされることもない。
【００３４】
また本実施例では、３個の溶液排水路１９により側面Ｋに溶解液Ｐｗを付着させているが、溶液排水路１９の先細の先端から溶解液Ｐｗが勢い良く放出されるため、側面Ｋに衝突する際に横方向に拡開し、側面Ｋの全周に渡り溶解液Ｐｗを付着させることができる。
【００３５】
また、排水口の側面Ｋの径の大きさが小さい場合や、側面Ｋが湾曲、傾斜していたとしても、溶液排水路１９から放出される溶解液Ｐｗは側面Ｋで横方向に拡がるため、溶解液Ｐｗを確実に側面Ｋの全周に付着させることが可能となる。
【００３６】
側面Ｋを流れ落ち排水口の底部に達した溶解液Ｐｗは、流入孔部１３からの排水Ｗと合流して、排水口の底部に接続する排水管内に流出される。
【符号の説明】
【００３７】
１０  本体部
１１  頂面
１２  中央凹部
１３  流入孔部
１４  橋絡部
１５  排水案内部
１９  溶液排水路
２０  カートリッジ体
Ｐ  薬剤
【図１】
0006514450.tif 000002
【図２】
0006514450.tif 000003
【図３】
0006514450.tif 000004
【図４】
0006514450.tif 000005
【図５】
0006514450.tif 000006